(57)【特許請求の範囲】
【請求項１】
人が洋式便器（５１）の便座に腰かけたときに、その人の両足を載せて、恰も和式便器を使用しているかのように、前かがみの体勢になり、直腸が伸びた状態で排便できるように体勢を変える洋式便器用足載せ台（２１）であって、
略立方体形状を有する筒形の足載せ本体部（２２）と、
前記足載せ本体部（２２）に収納された、該足載せ本体部（２２）の開口両側からそれぞれ相反する方向へ出没自在に飛び出す２個の略立方体形状を有する足載せ飛び出し部（２３）と、
前記足載せ本体部（２２）内に設けた、両足載せ飛び出し部（２３）を外方へ飛び出すように付勢する弾性部材（２５）と、
前記足載せ本体部（２２）に設けた、両足載せ飛び出し部（２３）が不用意に飛び出さないように、両足載せ飛び出し部（２３）を掛け止めるストッパ（２７）と、
前記足載せ飛び出し部（２３）それぞれに取り付けられた、高さ調節台（２４）と、から成り、
前記洋式便器用足載せ台（２１）を使用する際に、洋式便器（５１）の傍に置き、前記足載せ本体部（２２）から各足載せ飛び出し部（２３）を引き出し、この足載せ飛び出し部（２３）上に洋式便器（５１）に腰かけている人の両足を載せることができ、
該洋式便器用足載せ台（２１）を使用しないときは、各足載せ飛び出し部（２３）を足載せ本体部（２２）内に押し込め、前記ストッパ（２７）を両足載せ飛び出し部（２３）に掛け止め、これらが不用意に飛び出さないように構成された、ことを特徴とする洋式便器用足載せ台。
【発明の詳細な説明】
【技術分野】
【０００１】
本発明は、人が洋式便器に腰掛けて大便をする際に用いる足載せ台に係り、特に洋式便器に腰掛けて排便する人が両足を腹部に近づける体勢になり、直腸を伸ばして円滑に排便できるように、足を載せる洋式便器用足載せ台に関する。
【背景技術】
【０００２】
人が和式便器で大便をする際に、この和式便器に跨ってしゃがみ、膝がその人の腹部に近づく体勢となる。この体勢は、人体の内臓の直腸部分が圧迫された状態が解消され、排便しやすくなる。特に、欧米人と比較して、肉類より炭水化物を多く摂取する日本人は、この和式便器での排便が適している。
【０００３】
しかし、日本では生活様式が欧米化して、便器も洋式便器が普及し、殆どの家屋は洋式便器が多くなった。この洋式便器では、和式便器で排便する体勢のように、しゃがんだ際に膝がその人ｈの腹部に近づく体勢にならず、直腸部分が圧迫された状態のままで排便しづらいものであった。図１１（ａ）に示すように、洋式便器５１に腰かけた状態では、図１１（ｂ）の拡大図に示すように、人ｈの直腸は「くの字」に曲がり、途中で便がつかえる状態になっている。そこで、図１１（ｃ）に示すように、足載せ台５２を用いると、「前かがみ」の姿勢をとることができる。そのときは、図１１（ｄ）の拡大図に示すように、直腸の「くの字」が伸びて便が出やすくなる。この体勢は、しゃがむときと同じ姿勢で、太ももで腹部を圧迫する格好になり、腹圧がよりかかりやすく、より排便しやすくなる姿勢である。
【０００４】
理想的な排便姿勢は、図１１（ｃ）に示すように上体と太ももの角度が約３５度になる前傾姿勢とされている。そこで、従来より、洋式便器５１に腰掛けて排便するときに、和式便器のときのように、しゃがみ、その膝がその人の腹部に近づく体勢となるように、便座に腰かけた体勢から、両足を台に載せて、恰も和式便器を使用している体勢になるようにする足載せ台５２に関する技術が種々提案されている。例えば特許文献１の特開２００５−３３０８００号公報「便器の足載せ台」のように、洋式便器で和式の姿勢がとれるよう台に足を載せるもので、構造は極めて簡単で、自然に便意が促される効果があり、小用のついでにも試みることができ、便秘の予防になる便器の足載せ台が提案されている。この便器の足載せ台は、便器と一体のもの、可動式のもの、コルセット状の装着品、分割した単体、折り畳み型の単体がある。
【先行技術文献】
【特許文献】
【０００５】
【特許文献１】特開２００５−３３０８００号公報
【発明の概要】
【発明が解決しようとする課題】
【０００６】
特許文献１の「便器の足載せ台」は、便器自体に足載せ台が取り付けられた構成であるために、この洋式便器を男性が小用に使用する際に、この足載せ台が膝に当たり不快になりやすかった。この洋式便器を清掃する際に、この足載せ台が邪魔になった。また、特許文献１の「便器の足載せ台」は、床に設置されていないので、この足載せ台を使用する際に、体重を掛けすぎると便器から外れ易いという問題を有していた。
【０００７】
このような特許文献１の「便器の足載せ台」に限らず、足載せ補助具が複数提案されている。この足載せ補助具は、幼児が、成人用の洋式便器に小用、又は便座に腰かける際に使用することが目的のものが多かった。そこで、便器本体の前に人が立つ位置に長方形状、又は便器本体の下部を覆うように円弧形状になる十数センチの高さを有する足載せ台が多く提案されている。この足載せ台は、図１１（ｃ）に示すように、洋式便器の前で大きく場所を取るため、トイレ室内が広い場合は、これを移動して保管することができる。しかし、トイレ室内が狭い場合は、この使用しないときの足載せ台が却ってトイレ室内で邪魔になるという問題を有していた。特に、洋式便器とバスタブが一緒に設置されているユニットバス形式では、足載せ台は収納する場所がなかった。
【０００８】
本発明の発明者は、足載せ台は人が排便する際に腰掛けている人の両足を上方に持ち上げた体勢を位置できればよく、足載せ台自体の強度はそれ程必要ないことに着目した。折り畳み型の形状又はコンパクトに容積を小さくできる足載せ台であれば、狭いトイレ室内でも邪魔にならずに使用できると考えた。
【０００９】
本発明は、かかる問題点を解決するために創案されたものである。すなわち、本発明の目的は、使用時と不使用時で、その大きさが変化する構成にすることで、使用に際しては足を載せる部分を展開し、又は引き出して、そこに両足を載せることができ、人が便座に                                            腰掛けた状態で足を高く上げる姿勢を維持することができ、使用しないときはコンパクトに小さくできる洋式便器用足載せ台を提供することにある。
【課題を解決するための手段】
【００１０】
本発明は、人が洋式便器（５１）の便座に腰かけたときに、その人の両足を載せて、恰も和式便器を使用しているかのように、前かがみの体勢になり、直腸が伸びた状態で排便できるように体勢を変える洋式便器用足載せ台（２１）であって、
略立方体形状を有する筒形の足載せ本体部（２２）と、
前記足載せ本体部（２２）に収納された、該足載せ本体部（２２）の開口両側からそれぞれ相反する方向へ出没自在に飛び出す２個の略立方体形状を有する足載せ飛び出し部（２３）と、
前記足載せ本体部（２２）内に設けた、両足載せ飛び出し部（２３）を外方へ飛び出すように付勢する弾性部材（２５）と、
前記足載せ本体部（２２）に設けた、両足載せ飛び出し部（２３）が不用意に飛び出さないように、両足載せ飛び出し部（２３）を掛け止めるストッパ（２７）と、
前記足載せ飛び出し部（２３）それぞれに取り付けられた、高さ調節台（２４）と、から成り、
前記洋式便器用足載せ台（２１）を使用する際に、洋式便器（５１）の傍に置き、前記足載せ本体部（２２）から各足載せ飛び出し部（２３）を引き出し、この足載せ飛び出し部（２３）上に洋式便器（５１）に腰かけている人の両足を載せることができ、
該洋式便器用足載せ台（２１）を使用しないときは、各足載せ飛び出し部（２３）を足載せ本体部（２２）内に押し込め、前記ストッパ（２７）を両足載せ飛び出し部（２３）に掛け止め、これらが不用意に飛び出さないように構成された、ことを特徴とする。
【発明の効果】
【００１１】
本発明の構成では、箱型の洋式便器用足載せ台（２１）を洋式便器（５１）の足元に置き、足載せ本体部（２２）から立方体形状を有する各足載せ飛び出し部（２３）を引き出して足載せ台として使用することができる。洋式便器（５１）に腰かけている人は、この各足載せ飛び出し部（２３）の上に両足を載せると、和式便器のときのように両足が「しゃがむ体勢」即ち両膝がその人の腹部に近づく体勢をとることができる。この状態では人の直腸が伸びた状態になり、無理に力（りき）まなくても自然と力が入るので円滑に排便することができる。
この箱型の洋式便器用足載せ台（２１）を使用しないときは、展開したときと逆の動作でコンパクトに畳むことができる。各足載せ飛び出し部（２３）を足載せ本体部（２２）内に押し込め、ストッパ（２７）を両足載せ飛び出し部（２３）に掛け止め、直方体の立体状態から、立方体のコンパクトな状態にすることができる。洋式便器の足元、又は狭いトイレ室内、ユニットバスの室内でも邪魔にならないで収納することができる。
【００１２】
なお、両足載せ飛び出し部（２３）はストッパ（２７）で足載せ本体部（２２）から不用意に飛び出さないようになってまっている。洋式便器用足載せ台（２１）の使用中に不用意に、変形することなく直方体状態を維持することができ、安心して使用することができる。  
【００１３】
各足載せ飛び出し部（２３）には、足載せ本体部（２２）との高さを調整する高さ調節台（２４）がそれぞれに取り付けられている。各足載せ飛び出し部（２３）は、足載せ本体部（２２）内にコンパクトに収納するため、外径が右側と左側のものとは異なっている。各足載せ飛び出し部（２３）の高さの違いを、この高さ調節台（２４）が調整して、両者の水平状態は維持できる。そのため、この洋式便器用足載せ台（２１）を違和感なく使用することができる。
【００１４】
足載せ本体部（２２）と、足載せ飛び出し部（２３）が共に、平面視で円弧形状を有し、該足載せ本体部（２２）から各足載せ飛び出し部（２３）を引き出した形状が、平面視で円弧形状になるように構成されたものは、便器の下部の湾曲した形状に沿わせて配置できる。
【図面の簡単な説明】
【００１５】
【図１】実施例１の折り畳み型の洋式便器用足載せ台を使用する状態を示す側面図である。
【図２】実施例１の折り畳み型の洋式便器用足載せ台を示す斜視図であり、（ａ）は展開して足を載せることができる状態、（ｂ）は折り畳む状態、（ｃ）は折り畳んだ状態である。
【図３】実施例１の洋式便器用足載せ台の変形例１を示し、（ａ）は足載せ板を開いた状態を示す斜視図、（ｂ）は平面図である。
【図４】実施例１の洋式便器用足載せ台の変形例２を示し、（ａ）は足載せ板を開いた状態を示す斜視図、（ｂ）は平面図である。
【図５】実施例２の箱型の洋式便器用足載せ台を示す斜視図であり、（ａ）は足載せ飛び出し部を飛び出させて足を載せることができる状態、（ｂ）は足載せ飛び出し部を押し込む状態、（ｃ）は足載せ飛び出し部を押し込んだ状態である。
【図６】実施例２の箱型の洋式便器用足載せ台の足載せ飛び出し部を押し込んだ状態を示す断面図である。
【図７】実施例２の箱型の洋式便器用足載せ台の足載せ飛び出し部を飛び出させた状態を示す断面図である。
【図８】実施例２の箱型の洋式便器用足載せ台を使用する状態を示す側面図である。
【図９】実施例３の風船型の洋式便器用足載せ台を示す斜視図であり、（ａ）は空気を充填して足を載せることができる状態、（ｂ）は空気を抜いて潰した状態である。
【図１０】実施例３の風船型の洋式便器用足載せ台の変形例を示す斜視図である。
【図１１】人が洋式便器に腰掛けた状態を示し、（ａ）は人の姿勢を示す概略説明図、（ｂ）はそのときの直腸の状態の拡大図、（ｃ）は従来の足載せ台を使用した人の状態を示す概略説明図、（ｄ）はそのときの直腸の状態の拡大図である。
【発明を実施するための形態】
【００１６】
本発明の洋式便器用足載せ台は、人が洋式便器の便座に腰かけたときに、その人の両足を載せて、恰も和式便器を使用しているかのように、前かがみの体勢になり、直腸が伸びた状態で排便できるように体勢を変える補助具である。
【実施例１】
【００１７】
＜洋式便器用足載せ台の構成＞
以下、本発明の実施の形態を図面を参照して説明する。
図１は実施例１の折り畳み型の洋式便器用足載せ台を使用する状態を示す側面図である。図２は実施例１の折り畳み型の洋式便器用足載せ台を示す斜視図であり、（ａ）は展開して足を載せることができる状態、（ｂ）は折り畳む途中の状態、（ｃ）は折り畳んだ状態である。
実施例１の洋式便器用足載せ台１は、折り畳み枠体２と足載せ板３とから構成される、折り畳み型のものである。足載せ台１は、その使用時には略直方体形状になり、不使用時に扁平になり嵩張らないようになっている。
【００１８】
折り畳み枠体２は、図２（ｂ）に示すように、高さが１０ｃｍから２０ｃｍ程度の４枚の板材からなり、４枚が折り曲げ自在に連結されたものである。本発明では、展開したときに略直方体形状をなすように２枚の短辺板４と２枚の長辺板５，６とから成る。この長辺板５，６は、構成が若干異なるため、第１長辺板５と第２長辺板６と称して区別している。これは便宜上第１、第２と称したもので、等級、枚数とは異なる。
【００１９】
各板の材質はプラスチック材、ベニヤ板材、又はダンボール紙などからなる。人の姿勢を変えるために足を載せることができる強度があれば充分である。これ自体に人の全体重（４０ｋｇから１００ｋｇ）を掛けるものではないので、ある程度の強度、剛性があれば充分である。
【００２０】
各短辺板４には、折り曲げることができる曲折部７が上下方向に形成されている。この曲折部７を折り畳んで、２枚の第１長辺板５と第２長辺板６が重なるようにする。図示例では曲折部７が折り畳み枠体２の内方へ折れ曲がるようになっているが、これが外方へ折れ曲がるようにすることも可能である。
【００２１】
足載せ板３は、第１長辺板５の上縁部に、その一辺が折り曲げ自在に取り付けられた板材である。この足載せ板３は、洋式便器用足載せ台１を展開して略直方体形状になったときに、その上縁部全体を覆う程度の面積を有する板材である。即ち、足載せ台として機能する部分である。この足載せ板３の材質はプラスチック材、ベニヤ板材、又はダンボール紙などからなる。軽量であるが足を載せた際に不用意に曲がらない程度の剛性がある素材、形状のものが好ましい。
【００２２】
この足載せ板３と第１長辺板５の上縁部とを折り曲げ自在に連結するヒンジ部８は、図２（ｃ）に示すように、単に折り曲げができるだけでなく、折り畳んだ短辺板４の厚みと第２長辺板６の厚みを覆う程度の幅を有し、そのまま第２長辺板６に重ねることができる程度の幅が必要である。
【００２３】
この足載せ板３の長手方向の長さは、第２長辺板６の長手方向の長さより長く形成したものが好ましい。展開した折り畳み枠体２の各上縁部全体を覆うことができるからである。また、折り畳んだ状態から展開するときに、この足載せ板３を掴みやすくするためである。図示していないが、この足載せ板３のヒンジ部８の反対側にツマミ部を設けることも可能である。または、穴を開けて指を差し込んで展開できるようにすることも可能である。足載せ板３を展開しやすくする構成であればツマミ部、穴の形状に限定されない。
【００２４】
また、この足載せ板３の上面は、滑り止め加工を施すことが望ましい。例えば、滑り止め効果を有する塗料を塗布する。ここに載せている足は、人がしゃがんだ状態にあるので、人の前方へ蹴るように荷重が掛かりやすい。そこで、足が足載せ板３から容易に外れないようにするためである。同様に折り畳み枠体２の各下縁部、即ち、２枚の短辺板４と２枚の長辺板５，６の各下縁部に滑り止め加工を施すことが望ましい。
【００２５】
＜洋式便器用足載せ台の使用する状態＞
実施例１の折り畳み型の洋式便器用足載せ台１は、図１に示すように、洋式便器５１の前において使用する。展開するときは、図２（ｃ）から図２（ａ）への順番で、足載せ板３を持ち上げ、第２長辺板６を第１長辺板５から離し、両短辺板４の曲折部７を伸ばし、２枚の短辺板４と第１長辺板５と第２長辺板６からなる折り畳み枠体２を直方体形状に展開する。両短辺板４の上縁部と展開した第１長辺板５と第２長辺板６の上縁部に、この足載せ板３を載せる。
【００２６】
この足載せ板３の上に、洋式便器５１に腰かけている人ｈの両足を載せる。このときの体勢における直腸は図１１（ｄ）の拡大図に示したように、伸びている状態になる。この状態では人の直腸が伸びた状態になり、無理に力まなくても自然と力が入るので円滑に排便することができる。
【００２７】
洋式便器用足載せ台１を使用しないときは、展開したときと逆の動作で折り畳むことができる。足載せ板３を載せている折り畳み枠体２の第２長辺板６を第１長辺板５へ近づけ、並列した状態に足載せ板３を重ねるように並べる。これで、略直方体の立体的状態から、３枚の辺板が重なったコンパクトな状態にすることができる。洋式便器の足元、又は狭いトイレ室内、ユニットバスの室内でも邪魔にならない状態で収納することができる。
【００２８】
＜洋式便器用足載せ台の変形例１＞
図３は実施例１の洋式便器用足載せ台の変形例１を示し、（ａ）は足載せ板を開いた状態を示す斜視図、（ｂ）は平面図である。
実施例１の洋式便器用足載せ台１の変形例１の足載せ板３は、下面に直方体形状に展開した折り畳み枠体２の状態を維持するように、短辺板４、第２長辺板６に係合する突起等の係合部１１を複数設けたものである。この係合部１１は、短辺板４の上縁部、第２長辺板６の上縁部が掛け止められる形状であれば、突起に限定されない。略Ｖ字形状に成り、各上縁部を挟むように固定する構成のものでも良い。また、図示していないが、逆に短辺板４、第２長辺板６の上縁部に突起等の係合部を取り付け、足載せ板３に開けた穴部に嵌合自在になる逆の配置構成でもよい。
【００２９】
このように足載せ板３の下面に、短辺板４、第２長辺板６に着脱自在に係合する突起等の係合部１１が複数設けられたものは、この洋式便器用足載せ台１を展開しているときに不用意に折り畳められることなく、直方体形状の状態を維持することができ、洋式便器用足載せ台１を安心して使用することができる。  
【００３０】
＜洋式便器用足載せ台の変形例２＞
図４は実施例１の洋式便器用足載せ台の変形例２を示し、（ａ）は足載せ板を開いた状態を示す斜視図である。
実施例１の洋式便器用足載せ台の変形例２は、折り畳み枠体２の底面に相当する、第１長辺板５と第２長辺板６との下縁部とを連結するように底板１２が取り付けられたものである。上述した実施例１の洋式便器用足載せ台１は、折り畳み枠体２と足載せ板３から成る構成であるが、その底面に辺板がない。変形例２ではここに底板１２を設けた。この底板１２は、短辺板４と同様に折り曲げ自在になる曲折部１３が形成されている。第１長辺板５と第２長辺板６とを折り畳むと、底板１２は曲折部１３部分で二つ折りにされてコンパクトになる。
【実施例２】
【００３１】
＜箱型の洋式便器用足載せ台の構成＞
図５は実施例２の箱型の洋式便器用足載せ台を示す斜視図であり、（ａ）は足載せ飛び出し部を飛び出させて足を載せることができる状態、（ｂ）は足載せ飛び出し部を押し込む状態、（ｃ）は足載せ飛び出し部を押し込んだ状態である。
実施例２の洋式便器用足載せ台２１は、足載せ本体部２２と２個の足載せ飛び出し部２３とから構成される、箱型の足載せ台である。使用時に立方体形状から直方体形状になり、安定して足を載せることができ、不使用時にコンパクトな立方体形状の箱になる。
【００３２】
足載せ本体部２２は空洞の略立方体形状を有する。足載せ本体部２２は、高さが１０ｃｍから２０ｃｍ程度の筒形状の部材である。筒形状にしたのは足載せ飛び出し部２３を収納できるようにするためである。
【００３３】
足載せ飛び出し部２３は、足載せ本体部２２内に、その両側面から相反する方向へ出没自在に飛び出すように２個が収納されたものである。各足載せ飛び出し部２３は高さが１０ｃｍから２０ｃｍ程度の有底筒形状の部材である。正確には図５に示すように、左側の足載せ飛び出し部２３は、右側の足載せ飛び出し部２３より外径が小さく、左側の足載せ飛び出し部２３内に収納できるようになっている。足載せ飛び出し部２３と足載せ本体部２２の材質はプラスチック材、ベニヤ板材、又はダンボール紙などからなる。人の姿勢を変えるために足を載せるので、これ自体に人の全体重（４０ｋｇから１００ｋｇ）を掛けるものではないので、ある程度の強度、剛性があれば充分である。
【００３４】
各足載せ飛び出し部２３は、足載せ本体部２２内に収納されると共に、外径が右側と左側のものとは異なる。そこで、各足載せ飛び出し部２３には、足載せ本体部２２との高さを調整する高さ調節台２４がそれぞれに取り付けられている。
【００３５】
図６は実施例２の箱型の洋式便器用足載せ台の足載せ飛び出し部を押し込んだ状態を示す断面図である。図７は実施例２の箱型の洋式便器用足載せ台の足載せ飛び出し部を飛び出させた状態を示す断面図である。
足載せ本体部２２内には、両足載せ飛び出し部２３を外方へ飛び出すように付勢する弾性部材２５が取付部２６を介して内装されている。また、足載せ本体部２２には、足載せ飛び出し部２３が不用意に飛び出さないように、両足載せ飛び出し部２３を掛け止めるストッパ２７と、が設けられている。このストッパ２７は、例えば一度押すと嵌合部２８が飛び出し、足載せ飛び出し部２３の嵌合穴２３ａに嵌り、収納状態を維持する。ストッパ２７を２度押すと嵌合部２８が引っ込み各嵌合穴２３ａから外れ、足載せ飛び出し部２３が飛び出すように構成されたものである。
【００３６】
＜洋式便器用足載せ台の使用する状態＞
図８は実施例２の箱型の洋式便器用足載せ台を使用する状態を示す側面図である。
洋式便器用足載せ台２１を使用する際に、洋式便器５１の前において、足載せ本体部２２からそれぞれ足載せ飛び出し部２３を引き出し、この足載せ飛び出し部２３の上に洋式便器５１に腰かけている人の両足を載せることができる。
使用後は、各足載せ飛び出し部２３を足載せ本体部２２内に押し込めることができる。
【００３７】
＜洋式便器用足載せ台の変形例＞
足載せ本体部２２と、足載せ飛び出し部２３が共に、平面視で円弧形状を有し、足載せ本体部２２から各足載せ飛び出し部２３を引き出した形状が、平面視で円弧形状になるように構成することができる。これは、便器５１の下部の湾曲した形状に沿わせて配置できる。
【実施例３】
【００３８】
＜風船型の洋式便器用足載せ台の構成＞
図９は実施例３の風船型の洋式便器用足載せ台を示す斜視図であり、（ａ）は空気を充填して足を載せることができる状態、（ｂ）は空気を抜いて潰した状態である。
実施例３の洋式便器用足載せ台３１は、空気を充填すると略直方体の形態に膨らむ空気充填部３２と、空気充填部３２に空気の出し入れをする空気注入排出口３３と、から成る足載せ台である。
【００３９】
実施例３の風船型の洋式便器用足載せ台３１を使用する際に、空気注入排出口３３から空気を注入して略直方体形状の足載せ台の体にして洋式便器５１の傍に置き、これに洋式便器５１に腰かけている人の両足を載せることができる。不使用時は、空気注入排出口３３から空気を排出すると、空気充填部３２を潰すことができる。容易に収納することができる。
【００４０】
＜洋式便器用足載せ台の変形例＞
図１０は実施例３の風船型の洋式便器用足載せ台の変形例を示す斜視図である。
実施例３の風船型の洋式便器用足載せ台の変形例は、空気注入排出口３３にポンプ３４を取り付けたものである。例えば、バッテリーで駆動させるポンプ３４で、空気充填部３２を膨らませたり、排気することで、使用時と不使用時の変形を容易にすることができる。
【００４１】
なお、本発明は、使用する時と使用しないときで、その形態が変化する構成にすることで、使用に際して、足を載せる部分を展開し、又は引き出して人が便座に腰掛けた状態で足を高く上げる姿勢を維持する際に利用でき、使用しないときはコンパクトに小さくできる構成であれば、上述した発明の実施の形態に限定されず、本発明の要旨を逸脱しない範囲で種々変更できることは勿論である。
【産業上の利用可能性】
【００４２】
本発明の洋式便器用足載せ台は、腰掛ける形式の洋式便器であれば、便秘がちの人が利用することができる。
【符号の説明】
【００４３】
１  洋式便器用足載せ台
２  折り畳み枠体
３  足載せ板
４  短辺板
５  第１長辺板
６  第２長辺板
７  曲折部
１１  係合部
２１  洋式便器用足載せ台
２２  足載せ本体部
２３  足載せ飛び出し部
２５  弾性部材
２７  ストッパ
３１  洋式便器用足載せ台
３２  空気充填部
３３  空気注入排出口
３４  ポンプ
５１  洋式便器
ｈ  人
【要約】      （修正有）【課題】使用する時と使用しないときで、その形態が変化する構成にすることで、使用に際して、足を載せる部分を展開し、又は引き出して人が便座に腰掛けた状態で足を高く上げる姿勢を維持することができ、使用しないときはコンパクトに小さくできる洋式便器用足載せ台を提供する。【解決手段】略立方体形状を有する筒形の足載せ本体部２２と、足載せ本体部２２に収納された、足載せ本体部２２の開口両側からそれぞれ相反する方向へ出没自在に飛び出す２個の略立方体形状を有する足載せ飛び出し部２３と、足載せ本体部２２内に設けた、両足載せ飛び出し部２３を外方へ飛び出すように付勢する弾性部材と、足載せ本体部２２に設けた、両足載せ飛び出し部２３が不用意に飛び出さないように、両足載せ飛び出し部２３を掛け止めるストッパ２７と、から成る。【選択図】図５【図１】
0006797387.tif 000002
【図２】
0006797387.tif 000003
【図３】
0006797387.tif 000004
【図４】
0006797387.tif 000005
【図５】
0006797387.tif 000006
【図６】
0006797387.tif 000007
【図７】
0006797387.tif 000008
【図８】
0006797387.tif 000009
【図９】
0006797387.tif 000010
【図１０】
0006797387.tif 000011
【図１１】
0006797387.tif 000012